(57)【要約】  【課題】  小型、軽量で持ち運びに便利であり、寝たきりや身体を動かすことのできない障害者の床ずれ防止用の寝具として利用可能な外、車椅子を利用して移動する人々や、高齢者や乳幼児などを含む床ずれの危険性がある様々な人々に、簡便に利用可能な床ずれ防止用品を提供する。  【解決手段】  軟質合成樹脂製または天然ゴム製の軟質袋体３１の適所に、液漏れ防止構造となし得る開閉キャップ３２を設けた防水袋３の複数個と、それら各防水袋３，３，３内への装填用となる適量の粉末状または粒状の吸水性ポリマー４と、少なくとも柔軟性および通気性を有し、適所に開閉機構５２付きの収納口５１を設けたカバー袋５とが、一つの携帯ケース２内に整理、収納されてなる床ずれ防止など用マットセット１である。【選択図】    図１
0003130198.tif 000002
【実用新案登録請求の範囲】
【請求項１】
軟質合成樹脂製または天然ゴム製の軟質袋体の適所に、液漏れ防止構造となし得る開閉キャップを設けた防水袋の複数個と、それら各防水袋内への装填用となる適量の粉末状または粒状の吸水性ポリマーと、少なくとも柔軟性および通気性を有し、適所に開閉機構付きの収納口を設けたカバー袋とが、一つの携帯ケース内に整理、収納されてなるものとしたことを特徴とする床ずれ防止など用マットセット。
【請求項２】
軟質合成樹脂製または天然ゴム製の軟質袋体の適所に、液漏れ防止構造となし得る開閉キャップを設けた防水袋の複数個と、それら各防水袋内への装填用となる適量の粉末状または粒状の吸水性ポリマーと、少なくとも柔軟性および通気性を有し、適所に開閉機構付きの収納口を設けたカバー袋とが、一つの携帯ケース内に整理、収納された上、使用対象者の使用用途や目的に応じ、吸水ポリマーの性状や形状、大きさが選択的に設定し得る組立てを可能にしたことを特徴とする床ずれ防止など用マットセット。
【請求項３】
軟質合成樹脂製または天然ゴム製の軟質袋体の適所に、液漏れ防止構造となし得る開閉キャップを設けた防水袋の複数個と、それら各防水袋内への装填用となる適量の粉末状または粒状の吸水性ポリマーを吸水不能にして収容した包装済みポリマーと、少なくとも柔軟性および通気性を有し、適所に開閉機構付きの収納口を設けたカバー袋とが、一つの携帯ケース内に整理、収納されてなるものとしたことを特徴とする床ずれ防止など用マットセット。
【請求項４】
軟質合成樹脂製または天然ゴム製の軟質袋体の適所に、液漏れ防止構造となし得る開閉キャップを設けた防水袋の複数個と、それら各防水袋内への装填用となる適量の粉末状または粒状の吸水性ポリマーを、当該防水袋の個数、容量などに相当するよう複数個に分包し、吸水不能にして収容した包装済みポリマーと、少なくとも柔軟性および通気性を有し、適所に開閉機構付きの収納口を設けたカバー袋とが、一つの携帯ケース内に整理、収納されてなるものとしたことを特徴とする床ずれ防止など用マットセット。
【請求項５】
軟質合成樹脂製または天然ゴム製の軟質袋体の適所に、液漏れ防止構造となし得る開閉キャップを設け、適量の粉末状または粒状の吸水性ポリマーを収容した防水袋の複数個と、少なくとも柔軟性および通気性を有し、適所に開閉機構付きの収納口を設けたカバー袋とが、一つの携帯ケース内に整理、収納されてなるものとしたことを特徴とする床ずれ防止など用マットセット。
【請求項６】
複数個の防水袋は、一部または全部の容量および／または形状を異なるものとした、請求項１ないし５何れか一項記載の床ずれ防止など用マットセット。
【請求項７】
携帯ケースは、その内部、所定箇所に、吸水性ポリマー注入用の漏斗、吸水性ポリマー・被吸収液用の計量カップや計量スプーンなど装填用および／または注入用補助具が、同梱状に整理、収納されてなるものとした、請求項１ないし６何れか一項記載の床ずれ防止など用マットセット。                                                                                                    
【考案の詳細な説明】
【技術分野】
【０００１】
この考案は、携帯用のクッションやマット等に関連するあらゆる分野をその技術分野とするものであり、特に床ずれ予防に有効な枕、座布団、マット、クッション類の製造技術は勿論のこと、それの製造および保管、輸送、販売に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                              
【背景技術】
【０００２】
（着目点）
寝たきりや身体に障害をもち、自分で体の向きや位置を変えるのが困難な人や、車椅子を手放せない人々などにとって床ずれは、皮膚の爛れや潰瘍を引き起こし、開いた傷口から細菌が入り込み感染症を発症させるリスクがあり、年齢を問わず常日頃の予防が何よりも重要であるとされ、家族やホームヘルパー、看護師、看護助手などのケアにあたる者が、被介護者の体重が集中し易い臀部や腰部周辺などを始めとする身体各部の皮膚を毎日毎日丁寧に調べ、一部が長時間に亘って圧迫されないよう頻繁に体の位置や向きを変えるよう動かし、肘、踵、踝のように骨ばった部分をコットンやウールなどの柔らかな素材で保護することが必要とされており、介護用品の市場には、こうした介護を補助するものとして圧迫を軽減するためのベッドやマットレス、クッション類など、様々な製品が提供されている。
【０００３】
（従来の技術）
そうした床ずれ防止用の介護用品には、例えば登録実用新案第３０５３０４１号公報「床ずれ防止用マット」考案として提案されているもののように、上面シートと下面シートとを重ね合わせ、その周囲を袋状に融着すると共に、融着部に囲まれた上下方向の貫通孔を多数形成し、空気の充填により膨らむマット本体を形成し、外面に多数点在する粒状突起を形成して滑り止め加工を施したカバーで覆ったものとすることにより、マット本体が空気の充填により、多数の貫通孔部分による凹凸をもって膨らみ、患者の体にかかる圧迫を減少し、カバーの下面に施された滑り止め加工が位置ずれを防止可能としたものや、特開平１１−２３５３６４号公報に開示された「床ずれ防止用クッション」発明に開示されているもののように、吸湿性を有する布体表面に、面ファスナーを縫着又は接着した細長い袋状物を形成し、無数の凸起を有する空気袋を形成して袋状物中央に内設し、その周囲に羽毛を詰め込んだものとし、各素材がもつ特徴を利用して体圧を分散したり、形状の変化によって多様に使用することができ、患部悪化の進行を防いで患者の苦痛を緩和できるようにしたもの、または、実開平６−６６４０６号公報の「アクアベッド」考案に見られるもののように、吸水性ポリマーと水などの液体状のものを給水栓より注入した波状の防水用樹脂シート袋を通気性の良いクッション材と共に防水用収納袋に納めてファスナーで封をし、この袋状のものをベッドカバーに収納したものとなすことにより、クッション性に富み、寝心地がよく安眠し易く、均一な力が体にかかるため床ずれ防止の効果が得られるもの等幾つかのものが散見される。
【０００４】
しかし、前者の「床ずれ防止用マット」考案は、それ以前までの複数種類のクッション材を積層する複雑な製造工程を要し、高価で重量も大きな床ずれ防止用のマットレスに比べ、空気を注入して膨らますマットは軽量で取扱いが容易な上、安価にて提供可能であるという利点を有するが、過度の軽量化によって被介護者の体を動かしたり、向きを変えたりするときに不安定となり、介護者への負担が増加してしまうという欠点があり、次に示した「床ずれ防止用クッション」発明は、空気を注入する空気袋を有し、面ファスナーを利用して大小または渦巻き輪状や、適当な大きさの８の字型などに変形させて臀部下や踝下、踵下などに敷き、あるいは、被介護者が足を重ねた状態の時に、８の字型の片方の輪を足の下に敷き、別の片方の輪を折り曲げて足の間に挟むなど、上下に貫通する孔の上に患部を置くように利用可能なものであって、軽量で携帯性にも秀れているという利点を有し、介護者が床ずれ予防のために被介護者の身体を動かそうとしたときに、被介護者の身体の安定を損ねることがないという利点はあるものの、患部を避けた周囲を輪状のクッションで支えるという構造に起因して患部周辺の皮膚にストレスを与えてしまう虞があるという欠点を解消できないものとなっていた。
【０００５】
そして、後者の「アクアベッド」考案は、波状の防水性樹脂シート袋の給水栓から吸水ポリマーと水などの液体状のものとを注入し、アクア状の粘性液体物質を形成したことから、空気を注入したものに比較し、被介護者の身体の向き変えや移動をする場合にも安定性に富み、介護し易いという特徴を得ることができるものとなっているが、その反面、水を注入した時点で勢い重量が大きくなり、例えば車椅子による外出が可能な高齢者などが外出先に持ち出して手軽に宿泊に利用するにはかなりの困難を伴い、これを実施しようとすると、その輸送や設置に多大な労力と経費とを要するものとなり、被介護者やその家族に大きな負担を課すものとなってしまうという厄介な課題を残すものであった。                                                        
【特許文献１】（１）登録実用新案第３０５３０４１号公報    （２）特開平１１−２３５３６４号公報    （３）実開平６−６６４０６号公報
【考案の開示】
【考案が解決しようとする課題】
【０００６】
（問題意識）
上述したとおり、従前までに提案のあるものには、被介護者の身体の向きを変えたり移動させたりするときに安定せず、介護者の労働負担を増大させてしまったり、小型、軽量で携帯性が高く、床ずれ患部を保護する機能には秀れるが患部周囲を圧迫してしまうものであったり、アクア状の粘性液体物質が充填されていて被介護者の体の移動や向き変えなどを安定して使えるようにはしているものの、大型のものが多くて水などの液体状のものを一旦注入してしまうと、到底一人では持ち運ぶことができない程に重くなるため、車椅子の利用者などが宿泊先で手軽に利用できるものなってはいないという実態が、未だに放置されたままになっていた。
【０００７】
（考案の目的）
そこで、この考案は、小型、軽量で持ち運びに便利であり、寝たきりや身体を動かすことのできない障害者の床ずれ防止用の寝具として利用可能な外、車椅子を利用して移動する人々や、高齢者、乳幼児などを含む床ずれの危険性がある様々な人々に簡便に利用可能な床ずれ防止用品の開発はできないものかとの判断から、逸速くその開発、研究に着手し、長期に渡る試行錯誤と幾多の試作、実験とを繰り返してきた結果、今回、遂に新規な構造の床ずれ防止など用マットセットを実現化することに成功したものであり、以下では、図面に示すこの考案を代表する実施例と共に、その構成を詳述することとする。                                                                    
【課題を解決するための手段】
【０００８】
（考案の構成）
図面に示すこの考案を代表する実施例からも明確に理解されるように、この考案の床ずれ防止など用マットセットは、基本的に次のような構成から成り立っている。
即ち、軟質合成樹脂製または天然ゴム製の軟質袋体の適所に、液漏れ防止構造となし得る開閉キャップを設けた防水袋の複数個と、それら各防水袋内への装填用となる適量の粉末状または粒状の吸水性ポリマーと、少なくとも柔軟性および通気性を有し、適所に開閉機構付きの収納口を設けたカバー袋とが、一つの携帯ケース内に整理、収納されてなるものとした構成を要旨とする床ずれ防止など用マットセットである。
【０００９】
これを換言するならば、軟質合成樹脂製または天然ゴム製の軟質袋体の適所に、液漏れ防止構造となし得る開閉キャップを設けた防水袋の複数個と、それら各防水袋内への装填用となる適量の粉末状または粒状の吸水性ポリマーと、少なくとも柔軟性および通気性を有し、適所に開閉機構付きの収納口を設けたカバー袋とが、一つの携帯ケース内に整理、収納された上、使用対象者の使用用途や目的に応じ、吸水ポリマーの性状や形状、大きさが選択的に設定し得る組立てを可能にした構成からなる床ずれ防止など用マットセットとなる。
【００１０】
上記した基本的な構成からなる床ずれ防止など用マットセットには、軟質合成樹脂製または天然ゴム製の軟質袋体の適所に、液漏れ防止構造となし得る開閉キャップを設けた防水袋の複数個と、それら各防水袋内への装填用となる適量の粉末状または粒状の吸水性ポリマーを吸水不能にして収容した包装済みポリマーと、少なくとも柔軟性および通気性を有し、適所に開閉機構付きの収納口を設けたカバー袋とが、一つの携帯ケース内に整理、収納されてなるものとした構成からなる床ずれ防止など用マットセットが包含されている。
【００１１】
同様に、軟質合成樹脂製または天然ゴム製の軟質袋体の適所に、液漏れ防止構造となし得る開閉キャップを設けた防水袋の複数個と、それら各防水袋内への装填用となる適量の粉末状または粒状の吸水性ポリマーを、当該防水袋の個数、容量などに相当するよう複数個に分包し、吸水不能にして収容した包装済みポリマーと、少なくとも柔軟性および通気性を有し、適所に開閉機構付きの収納口を設けたカバー袋とが、一つの携帯ケース内に整理、収納されてなる床ずれ防止など用マットセットと含まれる。
【００１２】
また、軟質合成樹脂製または天然ゴム製の軟質袋体の適所に、液漏れ防止構造となし得る開閉キャップを設け、適量の粉末状または粒状の吸水性ポリマーを収容した防水袋の複数個と、少なくとも柔軟性および通気性を有し、適所に開閉機構付きの収納口を設けたカバー袋とが、一つの携帯ケース内に整理、収納されてなるものとした構成の床ずれ防止など用マットセットも含むものである。                                                          
【考案の効果】
【００１３】
以上のとおり、この考案の床ずれ防止など用マットセットによれば、一つの携帯ケース内に、軟質袋体からなる複数個の防水袋と、適量の吸水性ポリマーと、開閉機構付きの収納口を有するカバー袋とが整理、収納されてなるものとし、予め防水袋中に低反発性または高反発性クッション材やゲル状クッション材などを充填したマット類に比較し、大幅な小型・軽量化を達成可能とすることができ、しかも必要部品類の全てを一つの携帯ケース内に集積されて液漏れの虞がなく、生産工場の保管・輸送コストの削減、店頭陳列の省スペース化、および、購入者による持ち帰りを容易にすると共に、外出や旅行先への携帯性を高めることができるという秀れた特徴を有するものとなっている。
【００１４】
そして、利用するときには、携帯ケース内から取り出した各防水袋に適量の吸水性ポリマーと、適量の被吸収液とを装填・注入することにより、簡便且つ迅速にボリューム感と安定感とに秀れたゲル状のクッション材を形成し、これら複数個の防水袋を、柔軟性および通気性を有するカバー袋内に収容して開閉機構を閉鎖して床ずれ防止に有効なマットクッションとすることが可能であり、被吸収液を吸収して適度に膨張した吸水性ポリマーは、各防水袋に柔軟性と重量感とを与えて十分に安定し、介護者が被介護者の身体の向き変えや移動をするときの労働負担を大幅に軽減するものとなり、しかも、被吸収液は、外出先や旅先で最も簡単に入手できる水または適温の湯などを使用することができ、使用後には、カバー袋内から取り出した各防水袋の開閉キャップを開けて膨張状態の吸水性ポリマーを排出させて乾燥・減量化して再利用するか、または、一般ゴミとして処分してしまい、再度全ての部品類を携帯ケース内に収納して携帯し、必要なときには新たな吸水性ポリマーと被吸収液とを再度、装填・注入して複数回に亘って利用することができ、経済性に秀れたものとすることができる。
【００１５】
また、吸水性ポリマーと被吸収液とを充填した複数個の防水袋は、安定感を得るのに十分な重量と柔軟性とに秀れ、夫々が独立したままカバー袋内に収納されて利用者が望む形に自由に変形、移動させることができ、布団やベッドにおける仰臥姿勢や、椅子や車椅子などの着座姿勢など、様々な姿勢における体重の集中箇所に用いて荷重負担を分散、軽減するよう利用することができるという特徴が得られるものであり、軟質合成樹脂製または天然ゴム製の軟質袋体の適所に、液漏れ防止構造となし得る開閉キャップを設けた防水袋の複数個と、各防水袋内への装填用となる適量の粉末状または粒状の吸水性ポリマーを吸水不能にして収容した包装済みポリマーと、カバー袋とが一つの携帯ケース内に整理、収納されるようにしたものでは、利用するときに各防水袋への吸水性ポリマーの供給量を必要に応じて自在に調節することができ、さらに、被吸収液の注入量をも調整して防水袋の各の膨張の大きさや柔らかさを自由に加減することができ、既存のマットやクッション類では実現不可能な利用法を実現化できるという利点が得られるものとなる。
【００１６】
包装済みポリマーを、各防水袋内への装填用となる適量の粉末状または粒状の吸水性ポリマーが防水袋の個数、容量などに相当するよう複数個に分包され、吸水不能に収容されるようにしたものでは、一個の防水袋内に誤って過剰な量の吸水性ポリマーが注入されてしまうのを確実に防止でき、誰もが安心して過不足にばらつきの少ない充填作業の実施が可能となって希望どおりの柔軟性が得られるようにし、また、適量の粉末状または粒状の吸水性ポリマーを、予め収容した防水袋の複数個とカバー袋とが一つの携帯ケース内に整理、収納されてなるようにしたものでは、各防水袋内への被吸収液の注入量を調整して各防水袋の柔軟性や大きさを適宜調節することを可能にし、そして、複数個の防水袋の中の一部または全部の容量および／または形状を異なるようにしたものでは、利用者が望む様々な利用形態に応じて変形、調節することが可能となり、形状や大きさの違う防水袋の組み合わせによって用途に応じた各種の品揃えを確実に実現化するという特徴を有したものとなる。
【００１７】
加えて、携帯ケースを、その内部所定箇所に、吸水性ポリマー注入用の漏斗、吸水性ポリマー・被吸収液用の計量カップや計量スプーンなど装填用および／または注入用補助具が同梱状に整理、収納されてなるものとし、利用者による感覚や経験に頼った充填作業に留めず、より精確で使用者の望む形状や大きさ、柔軟性の度合いなどに調節可能とし、秀れた再現性を確保して頻繁に使用するときにも、毎回同じ条件で快適に利用することができるという効果を発揮できるものとなる。                                                                                  
【考案を実施するための最良の形態】
【００１８】
上記したとおりの構成からなるこの考案の実施に際し、その最良もしくは望ましい形態について説明を加えることにする。
携帯ケースは、防水袋の複数個と吸水性ポリマーと、カバー袋とを一つにまとめるように整理して携帯、容易な状態に収納可能とし、生産工場での保管、輸送、店頭の陳列、および、購入者による持ち帰りや外出先への携帯などを容易にするという機能を果たし、できるだけ内部に無駄な空間を形成しないよう収納できる形状、寸法に設定すべきであり、店頭陳列中に中身が見えるよう透明なプラスチック製とし、反復して開閉できる開閉部を有するものとするのが望ましいが、複数回に亘って利用できるよう、布製、硬質合成樹脂製、皮革製、金属製、または、それらの複合材などの耐久性に秀れたものとすることもでき、後述する実施例に示すように、その内部所定箇所に吸水性ポリマー・被吸収液用の漏斗や計量カップ（および／または計量スプーン）など装填用および／または注入用補助具が、同梱状に整理、収納されてなるものとすることができ、これら装填用および／または注入用補助具は、何れも小型軽量な紙製、合成樹脂製、または透明あるいは半透明の合成樹脂製もしくは金属製など、使い捨て可能な素材に依るものとするか、複数回に亘って清潔に再利用可能な素材からなるものとし、何れにしても携帯容易且つ洗浄容易な素材でそれに見合った寸法、形状のものとするのが望ましい。
【００１９】
防水袋は、その複数個を携帯ケース内への整理、収納が可能なように、折り畳みまたは圧縮状として小型化することが可能であり、適量の吸水性ポリマーと被吸収液とを充填、注入したときには、それらが外部に漏出しないよう防水状態を維持できると共に、吸液、膨張した吸水性ポリマーに追従して形状を容易に変化する程度に十分な柔軟性を発揮可能で、それら複数個によって安定感のある低反発、柔軟性のクッション材を形成するという機能を果たし、軟質合成樹脂製または天然ゴム製の軟質袋体の適所に、液漏れ防止構造となし得る開閉キャップを設けたものとしなければならず、必要に応じて複数個の中の一部かまたは全部かの何れかを、容量および／または形状を異なるものとすることが可能であり、生産の段階で予め適量の吸水性ポリマーを、水充填済みのものとすることができる。
【００２０】
防水袋の軟質袋体は、防水袋の防水状袋部分の本体を形成するものとなり、適所に設けられた開閉キャップ以外の何れの箇所からも漏水しないよう防水可能であって、しかも高い柔軟性をもって携帯ケース内への整理、収納を可能とすると共に、その内部に吸水性ポリマーと被吸収液とを充填または注入したときに、吸液して均質に膨張した吸水性ポリマーの形状変化に悉く追従し、秀れた低反発性能を発揮可能とする機能を果たし、軟質合成樹脂製または天然ゴム製の高い柔軟性をもつ密閉袋状に形成され、開閉キャップを外したときに、吸水性ポリマーと被吸収液とを確実、簡単に充填または注入、および放出操作可能なものとしなければならず、後述する実施例に示すように、防水袋の寸法、形状は全て同一のものに形成することが可能な外、一部または全部の容量および／または形状を異なるものとして使用段階での組合せ利便性に都合の良いものにすることもでき、また、適度の伸縮性を有するシート素材からなるものとして患部などに装着使用したときの追随性を重視したものとすることができる外、柔軟性を確保しながらも伸縮性の少ないシート材として所定形状、大きさの維持を重視して患部などへの強制押圧力を期待し得るようにしたものなど、目的、用途に応じた適宜性状の素材を選択、利用することができる。
【００２１】
開閉キャップは、防水袋内に吸水性ポリマーと被吸収液とを充填または注入できるよう開放可能とすると共に、装填されてしまった吸水性ポリマーと被吸収液とを漏出しないように確実に密閉可能とする上、防水袋の使用後に折畳み、格納するときは、吸液して膨張した吸水性ポリマーをできるだけ簡単に放出してしまう開放ができるようにする機能を果たし、軟質袋体の適所に密閉状態を確保可能とするよう強固に一体化されたものとしなければならず、当該携帯ケース内に吸水性ポリマーや被吸収液を充填または注入するのに用いる漏斗を付属したものとする場合には、該漏斗を容易に装着できるだけの形状、寸法に設定されたものとしなければならず、後述する実施例に示すよう、防水袋の適所において内部に没するか、または外部に突出する短筒型の雌ネジ口または雄ネジ口を開口し、これに螺着する雄ネジ栓または雌ネジ栓を設けたものとするのが望ましいものの、それ以外にも、防水袋の適所において内部に没するか、または外部に突出する短筒型の開口部を一体化させ、その開口部に弾性的に圧入、可能な弾性樹脂製の栓部を着脱自在に装着したものなど、その機能を発揮し得る各種構造のものを採用することができるのは言うまでもない。
【００２２】
吸水性ポリマーは、被吸収液を吸収すると柔軟性に秀れた低反発性のクッション芯材を形成し、防水袋をその内側がわから柔軟に支持、可能とするゲル状物となり、防水袋への注入量の増減および被吸収液の吸収量の加減によって防水袋の膨満の度合いと、粘性の調節とを可能にするという機能を果たし、一個の携帯ケース内に収納される複数個の防水袋に注入する適量を、一つの容器または樹脂袋などにまとめて吸水不能にパッケージしたものとすることができる外、後述する実施例のように、防水袋の個数、容量などに相当するよう複数個に分包し、吸水不能にして収容した包装済みポリマーとすることができ、さらにまた、予め各防水袋に適量ずつ注入済みのものとすることが可能であり、より具体的には、ポリアクリル酸ナトリウム（ポリアクリル酸ソーダ）、ポリアクリルアミド、（別の表現では、アクリル酸ナトリウム架橋体、アクリル酸重合体部分ナトリウム塩架橋物、高吸水性樹脂）の乾燥状態としたものか、それに近い粉末または粒状物とすることができる。
【００２３】
包装済みポリマーは、一個の携帯ケース内に収納される複数個の防水袋に注入する適量の吸水性ポリマーを吸水不能にパッケージしたものであり、各防水袋に予め注入しておくことなく、当該床ずれ防止など用マットセットを購入後の利用段階に際して、各防水袋に所望量の吸水性ポリマーを充填し得るようにする機能を果たすものであり、湿気を通さないよう密閉できる樹脂フィルム製の小袋や軽量ボトル類などに収容されたものとしなければならず、開閉キャップや密閉シール部分を有して複数回に亘って開閉可能に包装されたものとすることが可能であり、後述する実施例に示すように、防水袋の個数、容量などに相当するよう複数個に分包したものとしたり、防水袋一個分の適量をさらに複数に分割、包装して防水袋の膨張度や粘性をより簡単に細かく調節できるようにしたものなどとすることができる。
【００２４】
カバー袋は、吸水性ポリマーと被吸収液との適量ずつを注入または充填した複数個の防水袋を収容し、当該床ずれ防止など用マットセットの外装をなすものになるという機能を果たし、それら吸水性ポリマーと被吸収液とを充填済みとした複数個の防水袋を、まとめた状態のままで十分な強度をもって収容するようにし、少なくとも柔軟性および通気性を兼ね備えており、適所には開閉機構付きの収納口を設けたものとしなければならず、天然繊維製、合成繊維製または不織布製の何れかとするのが望ましいが、毛足の長い織物や細かな凹凸形状などによって利用者の身体に触れる表面層に通気性を確保し、袋内側面に防水用の樹脂皮膜や金属箔膜などを一体化したものなどとすることが可能であり、表面に染色、プリント、織り込み、編み込みなどの手段に依る色や柄、絵、写真などを表示したものとしてもよい。
【００２５】
カバー袋の収納口は、吸水性ポリマーと被吸収液との適量ずつを注入または充填した複数個の防水袋を容易に出し入れ可能とし、開閉機構の閉鎖状としてしまうことに依り、収納した複数個の防水袋が不用意に抜出してしまうことなく一塊状の一個のマットまたはクッションを形成可能とする機能を果たし、吸水性ポリマーと被吸収液とを充填済みの防水袋を少なくとも一個ずつ通過可能な寸法、形状としなければならず、床ずれ防止など用マットセットの内容部品類を組み合わせてなるマットクッションを利用する際に、利用者の身体に直接触れることのない箇所に設けるべきであり、開閉機構がファスナー型、面ファスナー型、巾着型など開閉容易なものとするのが望ましい。
【００２６】
被吸収液は、防水袋中に充填され、吸水性ポリマーに吸収されて同防水袋を所望の状態に膨張可能とし、且つ、防水袋中に注入されている吸水性ポリマーの粘性を調節可能とする機能を果たすものであり、より具体的には、外出先や旅行先で容易に入手できる水または適温の湯あるいは水または適温の湯を含む水溶液もしくはゲル状体などとすることが可能である外、防水袋に理想的な柔軟性や膨張度を求める場合や、後述する実施例に示すように、漏斗、計量カップ、計量スプーンなどの装填用および／または注入用補助具を用いる場合などには、水や湯、または、それらと略同等濃度、粘度の水溶液を用いるのが望ましい。
以下では、図面に示すこの考案を代表する実施例と共に、その構造について詳述することとする。                                                                                                            
【実施例１】
【００２７】
図１の床ずれ防止など用マットセットの斜視図、図２の携帯ケースから取り出した部品内容の斜視図、図３の一部の防水袋を薄型化した部品内容の斜視図、図４の一部の防水袋を大型化した部品内容の斜視図、および、図５の全部の防水袋を大きさの異なるものとした部品内容の斜視図に示される事例は、軟質合成樹脂製または天然ゴム製の軟質袋体３１の適所に、液漏れ防止構造となし得る開閉キャップ３２を設けた防水袋３の複数個と、それら各防水袋３，３，３内への装填用となる適量の粉末状または粒状の吸水性ポリマー４と、少なくとも柔軟性および通気性を有し、適所に開閉機構５２付きの収納口５１を設けたカバー袋５とが、一つの携帯ケース２内に整理、収納されてなる、この考案の床ずれ防止など用マットセットにおける代表的な一実施例、およびその変形例の幾つかを示すものである。
【００２８】
当該床ずれ防止など用マットセット１は、図１および図２中に示すように、ポリプロピレン、ポリエチレン、ポリエチレンテレフタレート、ポリスチレン、ポリオレフィンなどを含む合成樹脂の何れかからなる透明樹脂シートを裁断して必要箇所を熱熔着または接着剤によって接着するか、押し出し成形その他公知の一体化成形してなる矩形箱状の携帯ケース２を有し、該携帯ケース２内所定箇所に、後述するカバー袋５が一個、防水袋３，３，３が三個、包装済みポリマー４１，４１，４１が三個、漏斗６１が一個、計量カップ６２が一個、夫々に応じて適宜折り畳まれるか丸め込まれるなどして密に整理、同梱状に収納されている。
【００２９】
カバー袋５は、綿やウール、麻、絹などの天然繊維製か、ポリエステルやレーヨン、アクリル、アラミドなどの合成繊維かの何れかからなり、十分な柔軟性および通気性があり、図２と共に後述する三個の防水袋３，３，３を、一列に水平配列して収納するのに丁度良い寸法の角が丸い長方形箱型に形成され、一つの短辺とこれに隣接する長辺とに亘る側壁面の上下（肉厚方向）中央には、開閉機構となるファスナー５２付きの収納口５１を設けたものとしている。
【００３０】
防水袋３は、ポリエチレン、ポリプロピレン、ポリオレフィン、ＥＶＡ（エチレン−酢酸ビニル共重合樹脂）、ＥＰＤＭ（エチレンプロピレンジエン三元共重合体）、ＣＲ（クロロプレンゴム）などの水密性、軟質合成樹脂製シートか、天然ゴム製シートかの何れかを概略矩形状に裁断し、周縁部を熱熔着または接着剤を用いて密閉状に封鎖するか、または、ブロー成型や射出成型などによる金型成型かの何れかによって所定容量をもつ概略、矩形袋状に形成した軟質袋体３１であり、その周縁適所に硬質短筒状の雄ネジ口３３を一体に突設し、これに雌ネジ栓３４を着脱自在に螺合、被着して液漏れ防止構造となし得る開閉キャップ３２を設けている。
【００３１】
吸水性ポリマー４は、水や適温の湯などの被吸収液（図示せず）を、吸収するとゲル状の凝集物を形成するポリアクリル酸ナトリウムやポリアクリルアミド等といった高吸水性樹脂の粉末状または粒状物であって、防水袋３，３，３の一個毎に注入するのに適する分量毎を、ポリエチレン、ポリプロピレン、ポリオレフィンなどの防水性を有する合成樹脂フィルム製袋に密閉、防水袋３，３，３の個数に応じた三個の包装済みポリマー４１，４１，４１に分包され、縁部適所に、図示しない開封用の切り口を設けたものとする。
【００３２】
吸水性ポリマーや被吸収液の防水袋３への装填用および／または注入用補助具６である漏斗６１は、樹脂フィルムによるラミネート加工や蝋引き処理が施された厚紙製、または、ポリエチレン、ポリプロピレン、ポリオレフィンなどの合成樹脂成型品からなり、その挿し込み口の外径を防水袋３の雄ネジ口３３に容易に挿し込み可能な寸法に設定し、しかも粒状物の吸水性ポリマー４も円滑に注入可能な内径寸法に設定したものとし、また、計量カップ６２は、樹脂フィルムによるラミネート加工や蝋引き処理が施された厚紙製などによるものとすることも可能であるものの、ポリエチレン、ポリプロピレン、ポリオレフィンなどで透明または半透明の合成樹脂製とし、防水袋３一個に注入する吸水性ポリマー４の最低量を一目盛りとする目盛りを表示したものとしてある。
【００３３】
図３に示す床ずれ防止など用マットセット１の部品内容は、三個の防水袋３，３５，３夫々に、予め適量の吸水性ポリマー４を注入し、カバー袋５一個および漏斗６１一個と共に、図１に示した携帯ケース２に整理、収納するようにしたものであり、該防水袋３，３５，３中の一個が他の二個よりも厚み寸法が小さく、容量も少なく設定した薄型防水袋３５としている。
【００３４】
また、図４の床ずれ防止など用マットセット１の部品内容も、基本的に図３に示したものと同様であるが、薄型防水袋３５の代わりに中央に凹みがあって膨張すると枕型となる大型防水袋３６を同梱したものの事例とし、さらに、図５に示す床ずれ防止など用マットセット１の部品内容は、三個の防水袋３中の一個を薄型防水袋３５とし、一個を大型防水袋３６にすると共に、残りの一個を、図２中に示したとおり、通常の大きさのものとして同梱したものとしてある。
【００３５】
（実施例の作用）
以上のとおりの構成からなるこの考案の床ずれ防止など用マットセット１は、図１および図２に示すように、一個の携帯ケース２中に一個の折り畳まれたカバー袋５、三個の折り畳まれた防水袋３，３，３、三個の包装済みポリマー４１，４１，４１、一個の漏斗６１および一個の計量カップ６２が、夫々所定の箇所に密に整理、収納されてなるものとしてあって、一般的な予めクッション材を充填済みのクッションやマットなどに比較して相当軽量、小型化でき、しかも当該携帯ケース２を透明な合成樹脂製としてあって開封せずに部品内容を確認できるようになる。
【００３６】
マットクッション１１を組み立てるには先ず、図２中に示すように、携帯ケース２から全ての部品類を取り出し、防水袋３，３，３の一個毎に、開閉キャップ３２雌ネジ栓３４を取り外し、雄ネジ口３３に漏斗６１を挿し込み、一個の防水袋３に一個の包装済みポリマー４１の割合で吸水性ポリマー４を注入し、さらに、計量カップ６２を用いて被吸収液である水または適温の湯の何れかの適量を計測しながら漏斗６１を通じて充填した後、漏斗６１を抜き取って雌ネジ栓３４を螺着、密閉する作業を行い、適度な柔軟性を備えて膨張した三個の防水袋３，３，３を、カバー袋５のファスナー５２を開放した収納口５１から順次収納してこの発明のマットセット１に依るマットクッション１１を完成する。
その際、各防水袋３，３，３は、吸水性ポリマー４および／または被吸収液の注入量を適宜、加減して大きさや硬さ（柔らかさ）などを、好みに応じて自在に調整することが可能であり、計量カップ６２の目盛りなどを記録しておけば、次回以降にも、同一の条件のマットクッション１１を組み立てることが可能となる。
【００３７】
このように組み合わせたマットクッション１１は、好みや必要に応じて適度に圧力を加えるなどして形状を整え、ベッドや布団上での仰臥姿勢や、椅子や車椅子の着座姿勢などの床ずれ防止用のマットとして、または、健常者の肩こりや腰痛防止用のクッションなど、幅広く利用することが可能となり、各防水袋３，３，３がカバー袋５内で自由に動かせると共に、充填してある吸水性ポリマー４がゲル状となって高い柔軟性と低反発性とを具有し、しかも重量感があって安定するものとなる。
【００３８】
マットクッション１１は、使用を終えた後に、一般ゴミとして使い捨てすることも可能なものとして予めその素材等を選択、採用したものとすることも勿論可能となるが、カバー袋５のファスナー５２を開放した収納口５１から各防水袋３，３，３を取り出して夫々の開閉キャップ３２雌ネジ栓３４を取り外し、雄ネジ口３３を通じて排出した吸水性ポリマー４だけを一般ゴミとして廃棄、処理してしまい、各防水袋３，３，３は、夫々の雌ネジ栓３４を螺着し、別途購入した詰め替え用の包装済みポリマー４１，４１，４１、およびその外の部品類と共に、携帯ケース２内に整理、収納して複数回に亘って再利用するようにした方が望ましいと言える。
【００３９】
図３に示した床ずれ防止など用マットセット１のセット内容によると、各防水袋３，３および薄型防水袋３５には、予め所定量の吸水性ポリマー４が注入済みとなっており、利用者は雌ネジ栓３４を雄ネジ口３３から取り外し、被吸収液である水または適温の湯の何れかの適量を注入し、雌ネジ栓３４を螺着、密閉するだけで充填を完了し、二個の防水袋３，３間に薄型防水袋３５を配するようカバー袋５内に収容してしまえば、頭部、頸部、腰部、脚、踵などを薄型防水袋３５上に載せ、外側配置となる防水袋３，３によって左右がわからサポートするように使用でき、同じ大きさの防水袋３，３，３だけを使用する場合に比較して安定使用が可能になり、また、図４の床ずれ防止など用マットセット１のセット内容の場合には、二個並べた防水袋３，３の一方端がわに、枕形状の大型防水袋３６を配するようカバー袋５内に収容し、仰臥姿勢の利用者の頭部から腰部付近までの上半身を安定的に支持可能とする。
さらに、図５の床ずれ防止など用マットセット１のセット内容によれば、一個の防水袋３を挟み、一方に大型防水袋３６を、他方に薄型防水袋３５を夫々配するよう組み合わせてカバー袋５内に収容し、仰臥姿勢の利用者の頭部から腰部付近に至る傾斜姿勢をより自然な勾配での支持を可能にする。
【００４０】
（実施例の効果）
以上のような構成からなる実施例の床ずれ防止など用マットセット１は、前記この考案の効果の項で記載の特徴に加え、図１に示したように、携帯ケース２を透明な合成樹脂製とし、生産工場の在庫管理や輸送、納入確認、および店頭陳列に至る流通の各段階の製品管理、ならびに、店頭における商品比較や購入後の部品内容の確認などを開封せずに一目で確認することができるという利便性を享受でき、また、図２に示したように、三個の防水袋３，３，３の個数に対応するよう、三個に分包された包装済みポリマー４１，４１，４１を同梱したものでは、初めての購入者であっても何の不都合もなく充填または注入作業を進めて所定のマットにして使用することができる効果が得られるものとなる。
【００４１】
図２に示したように、添付された装填用および／または注入用補助具６である漏斗６１および計量カップ６２は、各防水袋３，３，３に吸水性ポリマー４や被吸収液を注入する作業を簡単且つ正確なものとし、膨張不足や過剰な膨張による組み立て不良を防止することができると共に、快適な利用条件を記録して残しておけば、次回以降の利用の際にも同一の大きさや硬さ（柔らかさ）を間違いなく再現可能となり、新たに買い換えたときでも、外出先、旅行先などで購入したときでも、同じ状態のマットクッション１１を実現して利用することができるという効果がある。
【００４２】
図３に示したもののように、二個の防水袋３，３間に薄型防水袋３５を配するようにしてカバー袋５内に収容したものでは、中央の薄型防水袋３５上に頭部、頸部、腰部、脚部、踵などを配し、左右がわから二個の防水袋３，３がサポートするよう利用できて一層安定感が高まり、さらに広範囲に亘る荷重の分散を促して床ずれ防止効果が一段と高められ、また、図４に示したように、二個の防水袋３，３の一端がわに枕状の大型防水袋３６を配するようにしてカバー袋５内に収容したものでは、仰臥姿勢の利用者の頭部から腰部付近に掛ける上半身を、頭部がより安定な状態にしたが支持できることになって、通状の枕の使用をしないでも済ませることも可能になる外、踵を大型防水袋３６上に載せるようにして大腿部付近までを二個の防水袋３，３上に配するよう利用して、下肢の疲労をとるような利用にも有効であり、さらに、図５に示したように、一個の防水袋３を挟み、一方に大型防水袋３６、他方に薄型防水袋３５を配するようにしてカバー袋５内に収容したものでは、大型防水袋３６から薄型防水袋３５に至る上面傾斜が、より滑らかに連なるものとしての使用ができ、仰臥姿勢となり、頭部を大型防水袋３６に載せた状態の使用者の、薄型防水袋３５上となる腰部付近への負担を軽減することになって快適な利用を保証するものになるなど、様々な特徴を発揮するものとなる。
【００４３】
さらに、図３ないし図５に示したように、各防水袋３，３、薄型防水袋３５、大型防水袋３６の夫々に、予め吸水性ポリマー４の適量を注入済みとしたものでは、使用の段階に吸水性ポリマー４を充填する手間と、それらを不用意に零して無駄にしてしまう虞れとを無くし、被吸収液である水または適温の湯の何れかの適量を注入する操作だけで、所望するマット等として確実に利用可能なものとすることができ、利用者にとっては、より一層簡便且つ迅速なものになり、特に介護者などには作業効率の良くて使い勝手のいいクッションやマット類になることが期待される。
【００４４】
（結  び）
叙述の如く、この考案の床ずれ防止など用マットセットは、その新規な構成によって所期の目的を遍く達成可能とするものであり、しかも製造も容易で、従前からのクッションやマット類などに比較して大幅に軽量且つ低廉化可能で遥かに経済的なものとすることができる上、携帯性に秀れていて咄嗟の利用も可能になり、特に外出先や旅先であっても簡単、迅速に組み立てて低反発性、柔軟性、安定性など点で秀れたマットクッションなどとしての利用ができ、しかも繰り返しの利用も可能とする外、素材によっては一般ゴミとして使い捨て可能なものとすることも可能とし、常に経済的且つ衛生的であって介護者の労働負担も大幅に改善し得るものとなり得ることから、福祉用品などを取り扱う介護用品業界は勿論のこと、院内感染などの予防に苦慮する病院関係者や医療用品業界で、乳幼児や高齢者、身体障害者などの床ずれ防止に注意しなければならない人々や、健常者でありながら肩こりや腰痛などを抱える人々などといった様々な人々から高く評価され、広範に渡って利用、普及していくものになると予想される。                                                                              
【図面の簡単な説明】
【００４５】
図面は、この考案の床ずれ防止など用マットセットの技術的思想を具現化した代表的な幾つかの実施例を示すものである。
【図１】床ずれ防止など用マットセットを示す側面図である。
【図２】携帯ケースから取り出した部品内容を示す斜視図である。
【図３】一部の防水袋を薄型化した部品内容を示す斜視図である。
【図４】一部の防水袋を大型化した部品内容を示す斜視図である。
【図５】全部の防水袋を大きさの異なるものとした部品内容を示す斜視図である。
【符号の説明】
【００４６】
１      床ずれ防止など用マットセット
１１    同  マットクッション
２      携帯ケース
３      防水袋
３１    同  軟質袋体
３２    同  開閉キャップ
３３    同  雄ネジ口
３４    同  雌ネジ栓
３５    同  薄型防水袋
３６    同  大型防水袋
４      吸水性ポリマー
４１    同  包装済みポリマー
５      カバー袋
５１    同  収納口
５２    同  ファスナー（開閉機構）
６      装填用および／または注入用補助具
６１    同  漏斗６１
６２    同  計量カップ                                                                                    
【図１】
0003130198.tif 000003
【図２】
0003130198.tif 000004
【図３】
0003130198.tif 000005
【図４】
0003130198.tif 000006
【図５】
0003130198.tif 000007